(57)【要約】【課題】画面上のイメージを利用して、インタラクション情報を提供する装置及びその方法を提供する。【解決手段】画面上のイメージを利用して、インタラクション情報を提供する装置及びその方法に係り、デバイスが決済情報を相手デバイスに提供する方法は、デバイスのロック解除画面上に、デバイスのユーザのカードに係わるカードイメージを表示する段階と、カードイメージに係わるユーザのタッチ入力を受信する段階と、を含み、タッチされたカードイメージに対応する決済情報は、デバイスを介する決済に利用される。【選択図】図１
2014044724.tif 000002
【特許請求の範囲】
【請求項１】
デバイスが決済情報を相手デバイスに提供する方法において、
前記デバイスのロック解除画面上に、前記デバイスのユーザのカードに係わるカードイメージを表示する段階と、
前記カードイメージに係わるユーザのタッチ入力を受信する段階と、を含み、
前記タッチされたカードイメージに対応する決済情報は、前記デバイスを介する決済に利用される決済情報提供方法。
【請求項２】
前記タッチされたカードイメージに対応する前記決済情報を、前記相手デバイスに提供する段階をさらに含むことを特徴とする請求項１に記載の決済情報提供方法。
【請求項３】
前記タッチされたカードイメージに対応する前記決済情報を決済サーバに提供する段階をさらに含むことを特徴とする請求項１に記載の決済情報提供方法。
【請求項４】
前記タッチ入力が受信されることにより、前記ユーザの指紋を認識する段階と、
前記認識された指紋に係わる指紋情報を、前記相手デバイスに提供する段階と、をさらに含み、
前記相手デバイスに提供された前記指紋情報は、前記デバイスの決済を認証するのに利用されることを特徴とする請求項１に記載の決済情報提供方法。
【請求項５】
前記タッチ入力が受信されることにより、前記ユーザの指紋を認識する段階と、
前記認識された指紋に基づいて、前記デバイスのロックを解除する段階と、をさらに含み、
前記決済情報を提供する段階は、前記ロックが解除されることにより、前記決済情報を、前記相手デバイスに提供することを特徴とする請求項１に記載の決済情報提供方法。
【請求項６】
前記相手デバイスから、前記相手デバイスを介して決済可能なカードに係わる情報を受信する段階をさらに含み、
前記デバイスのロック解除画面上には、複数のカードイメージが表示され、
前記表示されたカードイメージにおいて、前記決済可能なカードに対応するカードイメージが差別性をもって表示されることを特徴とする請求項１に記載の決済情報提供方法。
【請求項７】
前記デバイスのロック解除画面上に、カードイメージを表示する段階は、前記ロック解除画面上の複数のロック解除ボタン上に、前記カードイメージを表示することを特徴とする請求項１に記載の決済情報提供方法。
【請求項８】
前記相手デバイスから、前記相手デバイスを介して決済可能なカードに係わる情報を受信する段階をさらに含み、
前記デバイスのロック解除画面上に、カードイメージを表示する段階は、前記複数のロック解除ボタン上に、それぞれカードイメージを表示し、前記決済可能なカードに対応するカードイメージにマッチングされたボタンイメージを、差別性をもって表示することを特徴とする請求項７に記載の決済情報提供方法。
【請求項９】
前記カードイメージを表示する段階は、カード使用回数、前記デバイスの位置、ユーザの選好度及びポイント積み立て率のうち少なくとも一つに基づいて、前記カードイメージを、前記デバイスのロック解除画面上に配列することを特徴とする請求項１に記載の決済情報提供方法。
【請求項１０】
前記ユーザのタッチ入力が受信されることにより、前記決済情報を提供するためのアプリケーションを実行する段階をさらに含み、
前記実行されたアプリケーションを介して、前記決済情報が、前記相手デバイス及び決済サーバのうち少なくとも一つに提供されることを特徴とする請求項１に記載の決済情報提供方法。
【請求項１１】
前記決済情報を、前記相手デバイスに提供する段階は、前記ユーザのタッチ入力が維持される間、前記決済情報を、前記相手デバイスに提供することを特徴とする請求項２に記載の決済情報提供方法。
【請求項１２】
前記決済情報を、前記相手デバイスに提供する段階は、
前記デバイスが、前記相手デバイスから既設定の範囲内に近接することにより、前記決済情報を、前記相手デバイスに提供することを特徴とする請求項２に記載の決済情報提供方法。
【請求項１３】
前記決済情報を、前記相手デバイスに提供する段階は、ＮＦＣ（near field communication）を介して連結された前記相手デバイスに、前記決済情報を提供することを特徴とする請求項２に記載の決済情報提供方法。
【請求項１４】
前記カードイメージを表示する段階は、
前記デバイスが、前記相手デバイスから、既設定の範囲内に近接することにより、前記カードイメージを、前記ロック解除画面上に表示することを特徴とする請求項１に記載の決済情報提供方法。
【請求項１５】
少なくとも１つのプログラムが保存されるメモリと、
前記少なくとも１つのプログラムを実行することにより、決済情報を提供させるプロセッサと、を含み、
前記少なくとも１つのプログラムは、
デバイスのロック解除画面上に、前記デバイスのユーザのカードに係わるカードイメージを表示する段階と、
前記カードイメージに係わるユーザのタッチ入力を受信する段階と、を実行する命令語を含み、
前記タッチされたカードイメージに対応する決済情報は、前記デバイスを介する決済に利用されるデバイス。
【請求項１６】
デバイスが決済情報を、相手デバイスに提供する方法において、
デバイスのロック解除画面上に、前記デバイスのユーザのカードの識別値を表示する段階と、
前記カードの識別値に対するユーザのタッチ入力を受信する段階と、を含み、
前記タッチされたカードの識別値に係わる決済情報は、前記デバイスを介する決済に利用される決済情報提供方法。
【請求項１７】
第１ユーザに係わる第１デバイスを利用することにより、前記第１ユーザと第２ユーザとのインタラクションを遂行する方法において、
前記第１デバイスは、前記第１ユーザに係わる入出力機能を提供するためのユーザ・インターフェースを含み、
前記ユーザ・インターフェースを介して、前記第１デバイスの画面上に、複数の候補アイテムにそれぞれ係わる複数のイメージをディスプレイする段階と、
前記ユーザ・インターフェースを介して、前記ディスプレイされた複数のイメージに係わる第１ユーザからのタッチ入力を受信する段階と、
前記複数の候補アイテムのうち、前記インタラクションの遂行に利用するためのアイテムを選択し、前記受信されたタッチ入力に基づいて、インタラクション情報を生成するために、前記第１デバイスを利用する段階と、
前記インタラクションを遂行するために、前記受信されたタッチ入力、及び前記選択されたアイテムについて生成された前記インタラクション情報を利用する段階と、を含む方法。
【請求項１８】
前記受信されたタッチ入力から認証情報を抽出する段階をさらに含み、
前記インタラクションを遂行するために、前記受信されたタッチ入力、及び前記生成されたインタラクション情報を利用する段階は、
前記抽出された認証情報が、前記第１デバイスに保存されたユーザ特性情報に係わるか否かを確認し、
前記インタラクションが安全に遂行されるか否かを決定するために、前記確認結果を利用することを特徴とする請求項１７に記載の方法。
【請求項１９】
前記認証情報は、前記第１ユーザに係わる指紋情報を含むことを特徴とする請求項１８に記載の方法。
【請求項２０】
インタラクション・サーバ、及び前記第２ユーザと係わる少なくとも１つの第２デバイスに、前記生成されたインタラクション情報を伝送する段階をさらに含むことを特徴とする請求項１７に記載の方法。
【請求項２１】
前記第１ユーザの指紋を認識するために、前記受信されたタッチ入力を利用する段階と、
前記認識された指紋に基づいて、前記第１デバイスのロックを解除する段階と、
前記第１デバイスのロックが解除されたとき、前記第２ユーザと係わる第２デバイスに、前記インタラクション情報を提供する段階をさらに含むことを特徴とする請求項１７に記載の方法。
【請求項２２】
前記第２ユーザと係わる第２デバイスから、前記第２デバイスを介して、インタラクションを遂行するために利用されるアイテムに係わる情報を受信する段階をさらに含み、
前記第２デバイスを介して、インタラクションを遂行するために利用される前記アイテムに対応するイメージは、前記ディスプレイされた複数のイメージと区別されるようにディスプレイされることを特徴とする請求項１７に記載の方法。
【請求項２３】
前記複数のイメージをディスプレイする段階は、前記第１デバイスのロック解除画面上の複数のロック解除ボタン上に、前記複数のイメージをディスプレイすることを特徴とする請求項１７に記載の方法。
【請求項２４】
前記第２ユーザと係わる第２デバイスから、前記第２デバイスを介して、インタラクションを遂行するために利用されるアイテムに係わる情報を受信する段階をさらに含み、
前記複数のイメージをディスプレイする段階は、それぞれの前記複数のロック解除ボタン上にそれぞれのアイテムをディスプレイし、
前記第２デバイスを介して、前記インタラクションの遂行するために利用される前記アイテムのイメージにマッチングされるロック解除ボタンのイメージは、前記複数のロック解除ボタンと区別されるようにディスプレイされることを特徴とする請求項２３に記載の方法。
【請求項２５】
前記タッチ入力が受信されるとき、前記インタラクション情報を提供するためのアプリケーションを実行する段階をさらに含むことを特徴とする請求項１７に記載の方法。
【請求項２６】
前記第１ユーザのタッチ入力が維持される間の所定の時間間隔内で、前記第２ユーザに係わる第２デバイスに、前記インタラクション情報を提供する段階をさらに含むことを特徴とする請求項１７に記載の方法。
【請求項２７】
前記第１デバイスと、前記第２ユーザに係わる第２デバイスとの距離が、既設定の範囲内であるとき、前記第２ユーザに係わる第２デバイスに、前記インタラクション情報を提供する段階をさらに含むことを特徴とする請求項１７に記載の方法。
【請求項２８】
前記インタラクション情報を、前記第２デバイスに提供する段階は、ＮＦＣ（near field communication）を介して、前記第２デバイスに、前記インタラクション情報を提供することを特徴とする請求項２７に記載の方法。
【請求項２９】
前記複数のイメージをディスプレイする段階は、
前記第１デバイスと、前記第２ユーザに係わる第２デバイスとの距離が、既設定の範囲内であるとき、前記複数のイメージを、前記第１デバイスのロック解除画面上にディスプレイすることを特徴とする請求項１７に記載の方法。
【請求項３０】
第１ユーザと第２ユーザとのインタラクション遂行のために利用される第１デバイスにおいて、
複数の候補アイテムにそれぞれ対応する複数のイメージをディスプレイするディスプレイ部と、
前記ディスプレイされた複数のイメージに係わる前記第１ユーザからのタッチ入力を受信するユーザ入力受信部と、
前記複数の候補アイテムのうち、前記インタラクション遂行に利用するためのアイテムを選択し、前記受信されたタッチ入力に基づいて、インタラクション情報を生成し、前記インタラクションを遂行するために、前記受信されたタッチ入力、及び前記選択されたアイテムについて生成された前記インタラクション情報を利用する制御部と、を含む第１デバイス。
【発明の詳細な説明】
【技術分野】
【０００１】
本発明は、画面上のイメージを利用して、インタラクション情報を提供する装置及びその方法に係り、特に、デバイスのロック解除画面上にカードイメージが表示され、表示されたカードイメージを利用して、決済情報が提供される装置及びその方法に関する。
【背景技術】
【０００２】
移動通信産業が急速に発展することにより、移動通信端末機は、個人の必需品として見なされている。これにより、移動通信端末機は、従来の音声通話及びデータ通信の機能だけではなく、各種付加機能を具備し、だんだんと複合的な機能を遂行する端末機に変わってきている。
【０００３】
このような趨勢により、移動通信端末機に、ユーザのクレジットカード情報を保存することにより、移動通信端末機を決済手段として活用する技術が広く提示されている。また、社会が発展することにより、各種取引での決済手段が現金から脱し、クレジットカードなどのような各種形態の信用決済手段が登場している。それだけではなく、それぞれの決済手段によって、積み立て率及び割引率が異なって適用されている。
【０００４】
一方、ユーザは、移動通信端末を利用して決済を行おうとする場合、移動通信端末のロックを解除し、所定のアプリケーションを直接駆動しなければならないという不都合があった。また、ユーザは、物品の決済時に使用するカードを決定するために、カード別に積み立て率及び割引率を一つ一つ確認し、決済のための認証情報をＰＯＳ（point of sale）端末に入力しなければならないという不都合があった。
【発明の概要】
【発明が解決しようとする課題】
【０００５】
本発明の課題は、デバイスのロック解除画面上に表示されたカードイメージを利用して、相手デバイスに効果的に決済情報を提供することができる決済情報提供装置及びその方法を提供することである。
【０００６】
また、本発明の課題は、ロック解除画面上のカードイメージに対するユーザのタッチ入力に基づいて、ユーザの指紋を認識することができる決済情報提供装置及びその方法を提供することである。
【課題を解決するための手段】
【０００７】
前記技術的課題を達成するための技術的手段として、本発明の第１側面は、デバイスのロック解除画面上に、前記デバイスのユーザのカードに係わるカードイメージを表示する段階と、前記カードイメージに対するユーザのタッチ入力を受信する段階と、を含み、前記タッチされたカードイメージに対応する決済情報は、前記デバイスを介する決済に利用される、デバイスが決済情報を相手デバイスに提供する方法を提供することができる。
【０００８】
また、前記方法は、前記タッチされたカードイメージに対応する前記決済情報を、前記相手デバイスに提供する段階をさらに含んでもよい。
【０００９】
また、前記方法は、前記タッチされたカードイメージに対応する前記決済情報を、決済サーバに提供する段階をさらに含んでもよい。
【００１０】
また、前記方法は、前記タッチ入力が受信されることにより、前記ユーザの指紋を認識する段階と、前記認識された指紋に係わる指紋情報を、前記相手デバイスに提供する段階と、をさらに含み、前記相手デバイスに提供された前記指紋情報は、前記デバイスの決済を認証するのに利用されもする。
【００１１】
また、前記方法は、前記タッチ入力が受信されることにより、前記ユーザの指紋を認識する段階と、前記認識された指紋に基づいて、前記デバイスのロックを解除する段階と、をさらに含み、前記決済情報を提供する段階は、前記ロックが解除されることにより、前記決済情報を、前記相手デバイスに提供することができる。
【００１２】
また、前記方法は、前記相手デバイスから、前記相手デバイスを介して決済可能なカードに係わる情報を受信する段階をさらに含み、前記デバイスのロック解除画面上には、複数のカードイメージが表示され、前記表示されたカードイメージにおいて、前記決済可能なカードに対応するカードイメージが差別性をもって表示されもする。
【００１３】
また、前記デバイスのロック解除画面上に、カードイメージを表示する段階は、前記ロック解除画面上の複数のロック解除ボタン上に、前記カードイメージを表示することができる。
【００１４】
また、前記方法は、前記相手デバイスから、前記相手デバイスを介して決済可能なカードに係わる情報を受信する段階をさらに含み、前記デバイスのロック解除画面上に、カードイメージを表示する段階は、前記複数のロック解除ボタン上にそれぞれカードイメージを表示し、前記決済可能なカードに対応するカードイメージにマッチングされたボタンイメージを差別性をもって表示することができる。
【００１５】
また、前記カードイメージを表示する段階は、カード使用回数、前記デバイスの位置、ユーザの選好度及びポイント積み立て率のうち少なくとも一つに基づいて、前記カードイメージを、前記デバイスのロック解除画面上に配列することができる。
【００１６】
また、前記方法は、前記ユーザのタッチ入力が受信されることにより、前記決済情報を提供するためのアプリケーションを実行する段階をさらに含み、前記実行されたアプリケーションを介して、前記決済情報が、前記相手デバイス及び決済サーバのうち少なくとも一つに提供されもする。
【００１７】
また、前記決済情報を、前記相手デバイスに提供する段階は、前記ユーザのタッチ入力が維持される間、前記決済情報を、前記相手デバイスに提供することができる。
【００１８】
また、前記決済情報を、前記相手デバイスに提供する段階は、前記デバイスが、前記相手デバイスから既設定の範囲内に近接することにより、前記決済情報を、前記相手デバイスに提供することができる。
【００１９】
また、前記決済情報を、前記相手デバイスに提供する段階は、ＮＦＣ（near field communication）を介して連結された前記相手デバイスに、前記決済情報を提供することができる。
【００２０】
また、前記カードイメージを表示する段階は、前記デバイスが、前記相手デバイスから既設定の範囲内に近接することにより、前記カードイメージを、前記ロック解除画面上に表示することができる。
【００２１】
また、本発明の第２側面は、少なくとも１つのプログラムが保存されるメモリと、前記少なくとも１つのプログラムを実行することにより、決済情報を提供させるプロセッサと、を含み、前記少なくとも１つのプログラムは、デバイスのロック解除画面上に、前記デバイスのユーザのカードに係わるカードイメージを表示する段階と、前記カードイメージに対するユーザのタッチ入力を受信する段階と、を実行する命令語を含み、前記タッチされたカードイメージに対応する決済情報は、前記デバイスを介する決済に利用されるデバイスを提供することができる。
【００２２】
また、前記少なくとも１つのプログラムは、前記タッチされたカードイメージに対応する前記決済情報を、前記相手デバイスに提供する段階を実行する命令語をさらに含んでもよい。
【００２３】
また、前記少なくとも１つのプログラムは、前記タッチされたカードイメージに対応する前記決済情報を決済サーバに提供する段階を実行する命令語をさらに含んでもよい。
【００２４】
また、前記少なくとも１つのプログラムは、前記タッチ入力が受信されることにより、前記ユーザの指紋を認識する段階と、前記認識された指紋に係わる指紋情報を、前記相手デバイスに提供する段階と、を実行する命令語をさらに含み、前記相手デバイスに提供された前記指紋情報は、前記デバイスの決済を認証するのに利用されもする。
【００２５】
また、前記少なくとも１つのプログラムは、前記タッチ入力が受信されることにより、前記ユーザの指紋を認識する段階と、前記認識された指紋に基づいて、前記デバイスのロックを解除する段階と、を実行する命令語をさらに含み、前記決済情報を提供する段階は、前記ロックが解除されることにより、前記決済情報を、前記相手デバイスに提供することができる。
【００２６】
また、前記少なくとも１つのプログラムは、前記相手デバイスから、前記相手デバイスを介して決済可能なカードに係わる情報を受信する段階を実行する命令語をさらに含み、前記デバイスのロック解除画面上には、複数のカードイメージが表示され、前記表示されたカードイメージにおいて、前記決済可能なカードに対応するカードイメージが差別性をもって表示されもする。
【００２７】
また、前記デバイスのロック解除画面上に、カードイメージを表示する段階は、前記ロック解除画面上の複数のロック解除ボタン上に、前記カードイメージを表示することができる。
【００２８】
また、前記少なくとも１つのプログラムは、前記相手デバイスから、前記相手デバイスを介して決済可能なカードに係わる情報を受信する段階を実行する命令語をさらに含み、前記デバイスのロック解除画面上に、カードイメージを表示する段階は、前記複数のロック解除ボタン上にそれぞれカードイメージを表示し、前記決済可能なカードに対応するカードイメージにマッチングされたボタンイメージを差別性をもって表示することができる。
【００２９】
また、前記カードイメージを表示する段階は、カード使用回数、前記デバイスの位置、ユーザの選好度及びポイント積み立て率のうち少なくとも一つに基づいて、前記カードイメージを、前記デバイスのロック解除画面上に配列することができる。
【００３０】
また、前記少なくとも１つのプログラムは、前記ユーザのタッチ入力が受信されることにより、前記決済情報を提供するためのアプリケーションを実行する段階を実行する命令語をさらに含み、前記実行されたアプリケーションを介して、前記決済情報が、前記相手デバイス及び決済サーバのうち少なくとも一つに提供されもする。
【００３１】
また、前記決済情報を、前記相手デバイスに提供する段階は、前記ユーザのタッチ入力が維持される間、前記決済情報を、前記相手デバイスに提供することができる。
【００３２】
また、前記決済情報を、前記相手デバイスに提供する段階は、前記デバイスが、前記相手デバイスから既設定の範囲内に近接することにより、前記決済情報を、前記相手デバイスに提供することができる。
【００３３】
また、前記決済情報を、前記相手デバイスに提供する段階は、ＮＦＣを介して連結された前記相手デバイスに、前記決済情報を提供することができる。
【００３４】
また、前記カードイメージを表示する段階は、前記デバイスが、前記相手デバイスから既設定の範囲内に近接することにより、前記カードイメージを、前記ロック解除画面上に表示することができる。
【００３５】
また、本発明の第３側面は、デバイスのロック解除画面上に、前記デバイスのユーザのカードの識別値を表示する段階と、前記カードの識別値に対するユーザのタッチ入力を受信する段階と、を含み、前記タッチされたカードの識別値に係わる決済情報は、前記デバイスを介する決済に利用される決済情報を相手デバイスに提供する方法を提供することができる。
【００３６】
また、本発明の第４側面は、前記第１デバイスは、前記第１ユーザに係わる入出力機能を提供するためのユーザ・インターフェースを含み、前記ユーザ・インターフェースを介して、前記第１デバイスの画面上に、複数の候補アイテムにそれぞれ係わる複数のイメージをディスプレイする段階と、前記ユーザ・インターフェースを介して、前記ディスプレイされた複数のイメージに対する第１ユーザからのタッチ入力を受信する段階と、前記複数の候補アイテムのうち、前記インタラクションの遂行に利用するためのアイテムを選択し、前記受信されたタッチ入力に基づいて、インタラクション情報を生成するために、前記第１デバイスを利用する段階と、前記インタラクションを遂行するために、前記受信されたタッチ入力、及び前記選択されたアイテムについて生成された前記インタラクション情報を利用する段階と、を含む、第１ユーザに係わる第１デバイスを利用することにより、前記第１ユーザと第２ユーザとのインタラクションを遂行する方法を提供することができる。
【００３７】
また、前記方法は、前記受信されたタッチ入力から認証情報を抽出する段階をさらに含み、前記インタラクションを遂行するために、前記受信されたタッチ入力、及び前記生成されたインタラクション情報を利用する段階は、前記抽出された認証情報が、前記第１デバイスに保存されたユーザ特性情報に係わるか否かを確認し、前記インタラクションが安全に遂行されるか否かを決定するために、前記確認結果を利用することができる。
【００３８】
また、前記認証情報は、前記第１ユーザに係わる指紋情報を含んでもよい。
【００３９】
また、前記方法は、インタラクション・サーバ及び前記第２ユーザと係わった少なくとも１つの第２デバイスに、前記生成されたインタラクション情報を伝送する段階をさらに含んでもよい。
【００４０】
また、前記方法は、前記第１ユーザの指紋を認識するために、前記受信されたタッチ入力を利用する段階と、前記認識された指紋に基づいて、前記第１デバイスのロックを解除する段階と、前記第１デバイスのロックが解除されたとき、前記第２ユーザと係わる第２デバイスに、前記インタラクション情報を提供する段階と、をさらに含んでもよい。
【００４１】
また、前記方法は、前記第２ユーザと係わる第２デバイスから、前記第２デバイスを介して、インタラクションを遂行するために利用されるアイテムに係わる情報を受信する段階をさらに含み、前記第２デバイスを介して、インタラクションを遂行するために利用される前記アイテムに対応するイメージは、前記ディスプレイされた複数のイメージと区別されるようにディスプレイされもする。
【００４２】
また、前記複数のイメージをディスプレイする段階は、前記第１デバイスのロック解除画面上の複数のロック解除ボタン上に、前記複数のイメージをディスプレイすることができる。
【００４３】
また、前記方法は、前記第２ユーザと係わる第２デバイスから、前記第２デバイスを介して、インタラクションを遂行するために利用されるアイテムに係わる情報を受信する段階をさらに含み、前記複数のイメージをディスプレイする段階は、それぞれの前記複数のロック解除ボタン上にそれぞれのアイテムをディスプレイし、前記第２デバイスを介して、前記インタラクションの遂行するために利用される前記アイテムのイメージにマッチングされるロック解除ボタンのイメージは、前記複数のロック解除ボタンと区別されるようにディスプレイされもする。
【００４４】
また、前記方法は、前記タッチ入力が受信されるとき、前記インタラクション情報を提供するためのアプリケーションを実行する段階をさらに含んでもよい。
【００４５】
また、前記方法は、前記第１ユーザのタッチ入力が維持される間の所定の時間間隔内で、前記第２ユーザに係わる第２デバイスに、前記インタラクション情報を提供する段階をさらに含んでもよい。
【００４６】
また、前記方法は、前記第１デバイスと、前記第２ユーザに係わる第２デバイスとの距離が既設定の範囲内であるとき、前記第２ユーザに係わる第２デバイスに、前記インタラクション情報を提供する段階をさらに含んでもよい。
【００４７】
また、前記インタラクション情報を前記第２デバイスに提供する段階は、ＮＦＣを介して、前記第２デバイスに、前記インタラクション情報を提供することができる。
【００４８】
また、前記複数のイメージをディスプレイする段階は、前記第１デバイスと、前記第２ユーザに係わる第２デバイスとの距離が既設定の範囲内であるとき、前記複数のイメージを、前記第１デバイスのロック解除画面上にディスプレイすることができる。
【００４９】
また、本発明の第５側面は、複数の候補アイテムにそれぞれ対応する複数のイメージをディスプレイするディスプレイ部と、前記ディスプレイされた複数のイメージに係わる前記第１ユーザからのタッチ入力を受信するユーザ入力受信部と、前記複数の候補アイテムのうち、前記インタラクション遂行に利用するためのアイテムを選択し、前記受信されたタッチ入力に基づいて、インタラクション情報を生成し、前記インタラクションを遂行するために、前記受信されたタッチ入力、及び前記選択されたアイテムについて生成された前記インタラクション情報を利用する制御部と、を含む、第１ユーザと第２ユーザとのインタラクション遂行のために利用される第１デバイスを提供することができる。
【図面の簡単な説明】
【００５０】
【図１】本発明の一実施形態による、デバイスが決済情報を相手デバイスに伝送するシステムの全体概要図である。
【図２】本発明の一実施形態による、デバイスが相手デバイスに決済情報を提供する方法のフローチャートである。
【図３】図２のデバイスが相手デバイスに、タッチされたカードイメージに対応する決済情報を提供する方法の詳細フローチャートである。
【図４】本発明の一実施形態による、デバイスが決済環境によって決済に利用されるカードを推薦する方法のフローチャートである。
【図５】図２のデバイスが、ロック解除画面上にカードイメージを配列して表示する方法の詳細フローチャートである。
【図６】図２のデバイスが、ロック解除画面上のカードイメージを差別性をもって表示する方法の詳細フローチャートである。
【図７】本発明の一実施形態による、デバイスが相手デバイスと近接することにより、推薦されたカードを表示する一例を図示した図面である。
【図８】本発明の一実施形態による、デバイスが相手デバイスと近接することにより、推薦されたカードを表示して決済情報を提供する方法のフローチャートである。
【図９】本発明の一実施形態による、デバイスのロック解除画面上にカードイメージが表示される一例を図示した図面である。
【図１０】本発明の他の実施形態による、デバイスのロック解除画面上にカードイメージが表示される一例を図示した図面である。
【図１１】本発明の他の実施形態による、デバイスのロック解除画面上にカードイメージが表示される一例を図示した図面である。
【図１２】本発明の一実施形態による、カードイメージが差別性をもって表示される一例を図示した図面である。
【図１３】本発明の他の実施形態による、カードイメージが差別性をもって表示される一例を図示した図面である。
【図１４】本発明の一実施形態によるデバイスの詳細構成図である。
【図１５】本発明の他の実施形態によるデバイスのブロック図である。
【発明を実施するための形態】
【００５１】
以下、添付した図面を参照し、本発明が属する技術分野で当業者が容易に実施するように、本発明の実施形態について詳細に説明する。しかし、本発明は、さまざまに異なった形態で具現され、ここで説明する実施形態に限定されるものではない。そして、図面で本発明について明確に説明するために、説明と関係ない部分は省略し、明細書全体を通じて、類似した部分については、類似した図面符号を付した。
【００５２】
明細書全体で、ある部分が他の部分と「連結」されているとするとき、それは、「直接的に連結」されている場合だけではなく、その中間に他の素子を間に置いて、「電気的に連結」されている場合も含む。また、ある部分がある構成要素を「含む」とするとき、それは、特別に限定する記載がない限り、他の構成要素を除くものではなく、他の構成要素をさらに含んでもよいということを意味する。
【００５３】
また、本明細書では、デバイスのロック解除画面（ロックスクリーン）上にカードのイメージが表示されると説明したが、それに制限されるものではない。デバイスのロック解除画面上には、カードの識別値が表示されてもよい。また、カードを識別することができる情報が、例えば、静止映像、動画、テキストなどの形態でロック解除画面上に表示されもする。
【００５４】
以下、添付された図面を参照しつつ、本発明について詳細に説明する。
【００５５】
図１は、本発明の一実施形態による、デバイス１０００が、決済情報を相手デバイス２０００に伝送するシステムの全体概要図である。
【００５６】
図１を参照すれば、決済情報を伝送するシステムは、デバイス１０００、相手デバイス２０００及び決済サーバ３０００を含む。デバイス１０００は、決済環境によって適切なカードを選択し、選択されたカードに係わるカード情報を、相手デバイス２０００に提供する。ユーザのタッチ入力によって、デバイス１０００の画面に表示された所定のカードイメージが選択され、デバイス１０００が、相手デバイス２０００に近接することにより、デバイス１０００は、相手デバイス２０００に、選択されたカードイメージに係わる決済情報を伝送することができる。デバイス１０００と相手デバイス２０００との距離が既設定の範囲内であるならば、デバイス１０００は、相手デバイス２０００に、選択されたカードイメージに係わる決済情報を伝送することができる。
【００５７】
その場合、少なくとも１つのカードイメージが、デバイス１０００のロック解除画面上に表示されもする。例えば、少なくとも１つのカードイメージは、デバイス１０００のロック解除画面上に表示されたロック解除ボタン上に表示されもする。また、デバイス１０００は、ユーザのタッチ入力に基づいて、ユーザの指紋を認識し、認識された指紋に基づいて、デバイス１０００のロックを解除することができ、認識された指紋情報を、決済情報と共にデバイス１０００に提供することができる。
【００５８】
また、相手デバイス２０００は、受信された決済情報を決済サーバ３０００に提供し、決済サーバ３０００がデバイス１０００に対する決済を遂行するようにすることができる。
【００５９】
デバイス１０００は、スマートフォン、携帯電話、ＰＤＡ（personal digital assistant）、ラップトップ、メディアプレイヤ、ＧＰＳ（global positioning system）装置、及びその他のモバイルまたは非モバイルのコンピュータ装置でもあるが、それらに制限されるものではない。
【００６０】
また、相手デバイス２０００は、ＰＯＳ（point of sale）端末でもあるが、それに制限されるものではない。相手デバイス２０００は、スマートフォン、携帯電話、ＰＤＡ、ラップトップ、メディアプレイヤ、ＧＰＳ装置、及びその他のモバイルまたは非モバイルのコンピュータ装置であってもよい。
【００６１】
他の実施形態によれば、図１は、第１ユーザと第２ユーザとのインタラクションを遂行するためのシステムを示すとも理解される。デバイス１０００は、第１ユーザに係わるデバイスであり、相手デバイス２０００は、第２ユーザに係わるデバイスとも理解される。前記の例示では、インタラクションが決済であると言及されたが、他のインタラクションが遂行されもする。
【００６２】
例えば、旅行者が航空機の搭乗を準備し、搭乗券を獲得するために、チェックインして荷物をチェックする必要がある。
【００６３】
このようなシナリオで、旅行者は、第１ユーザとも理解され、航空会社は、第２ユーザとも理解される。相手デバイス２０００である第２デバイスは、例えば、空港のキオスク（kiosk）、または航空会社のインターネット・ウェブサイトにリンクされたコンピュータでもある。旅行者は、第１デバイス１０００として動作するモバイルフォンを所持することができ、モバイルフォンは、搭乗のためのチェックイン及び荷物チェックのために利用されるアイテム（例えば、パスポート、運転免許証、クレジットカード）に係わるイメージをディスプレイすることができる。
【００６４】
他の実施例によれば、ソーシャルメディア・ユーザが、最近の経験に係わる情報をアップロードすべく準備することができる。このようなシナリオで、ソーシャルメディア・ユーザは、第１ユーザとも理解され、第２ユーザは、ソーシャルメディア・ウェブサイトでもある。相手デバイス２０００である第２デバイスは、例えば、ソーシャルメディア・ウェブサイトにアクセスするのに利用される全ての端末でもある。ソーシャルメディア・ユーザは、第１デバイス１０００として動作するモバイルフォンを所持することができ、モバイルフォンは、ソーシャルメディア・サイトに情報をアップロードするために選択されるアイテム（例えば、写真、テキストメッセージ、ＵＲＬ（uniform resource locator）リンク）に係わるイメージをディスプレイすることができる。
【００６５】
図２は、本発明の一実施形態による、デバイス１０００が相手デバイス２０００に決済情報を提供する方法のフローチャートである。
【００６６】
段階Ｓ２００で、デバイス１０００は、ロック解除画面上に、カードイメージを表示する。段階Ｓ２００で、デバイス１０００は、ロック解除画面に表示されたロック解除ボタン上に、少なくとも１つのカードイメージをそれぞれ表示することができる。ロック解除画面上に表示されたカードイメージは、デバイス１０００がデバイス１０００のロックを解除するのに利用されもする。また、デバイス１０００は、ロック解除画面上に、ロック解除ボタンを表示せず、少なくとも一つ以上のカードイメージを表示することもできる。
【００６７】
また、段階Ｓ２００で、デバイス１０００が、相手デバイス２０００から既設定の範囲以内に近接することにより、デバイス１０００は、ロック解除画面上に、カードイメージを表示することができる。例えば、デバイス１０００が、相手デバイス２０００に、ＮＦＣ（near field communication）通信を介して近距離接触すれば、デバイス１０００は、所定のカードイメージを、ロック解除画面に表示することができる。
【００６８】
また、デバイス１０００は、複数のカードイメージを、所定の基準によって配列して表示することができる。また、デバイス１０００は、所定のカードイメージを強調して表示することができる。
【００６９】
段階Ｓ２１０で、デバイス１０００は、カードイメージに対するユーザのタッチ入力を受信する。ユーザが、デバイス１０００のロック解除画面に表示された所定のカードイメージをタッチすることにより、デバイス１０００は、ユーザのタッチ入力を受信することができる。
【００７０】
段階Ｓ２２０で、デバイス１０００は、ユーザによってタッチされたカードイメージに対応する決済情報を、相手デバイス２０００に提供する。段階Ｓ２２０で、デバイス１０００は、ユーザによってタッチされたカードイメージに係わるカード情報及びユーザ情報を、デバイス１０００のメモリから抽出することができ、抽出されたカード情報及びユーザ情報を、相手デバイス２０００に提供することができる。カード情報は、例えば、カード番号及びカードの有効期間に係わる情報、並びにカードに係わる認証情報を含んでもよい。また、ユーザ情報は、ユーザの識別値、ユーザの生年月日に係わる情報を含んでもよい。
【００７１】
また、段階Ｓ２２０で、デバイス１０００は、カードイメージに対するタッチ入力が、既設定の時間以上維持される場合、決済情報を相手デバイス２０００に提供することができる。カードイメージに対するタッチ入力が維持される間、デバイス１０００が相手デバイス２０００に近接する場合、デバイス１０００は、相手デバイス２０００に決済情報を提供することができるが、それに制限されるものではない。
【００７２】
また、段階Ｓ２２０で、デバイス１０００は、カードイメージに対するタッチ入力に基づいて、獲得される指紋情報が有効である場合、相手デバイス２０００に決済情報を提供することができる。
【００７３】
図２のフローチャートは、他の実施形態に適用されてもよい。例えば、図２のフローチャートは、前記で言及された、旅行者が搭乗のためのチェックイン及び荷物チェックを行うシナリオに適用されもする。
【００７４】
段階Ｓ２００で、旅行者のモバイルフォンは、パスポート、運転免許証及びクレジットカードそれぞれに対応するイメージをディスプレイする。段階Ｓ２１０で、旅行者は、ディスプレイされたイメージのうち一つに係わるタッチ入力をモバイルフォンに提供する。段階Ｓ２２０で、モバイルフォンは、選択されたアイテムに係わる関連情報を、第２デバイス２０００に伝送する。第２デバイス２０００は、チェックイン及び荷物チェックのプロセスを遂行するために、航空会社によって利用され、例えば、航空会社のウェブサイトに連結されたコンピュータまたはキオスクでもある。
【００７５】
同様に、図２のフローチャートは、前記で言及された、ソーシャルメディア・ユーザが、最近の経験に係わる情報をアップロードするシナリオに適用されもする。
【００７６】
段階Ｓ２００で、ソーシャルメディア・ユーザのモバイルフォンは、写真、テキストメッセージ及びＵＲＬそれぞれに対応するイメージをディスプレイする。段階Ｓ２１０で、ソーシャルメディア・ユーザは、アップロードに係わる目的のために、ディスプレイされたイメージのうち一つに係わるタッチ入力を、モバイルフォンに提供する。段階Ｓ２２０で、モバイルフォンは、選択されたアイテムに係わる関連情報を、第２デバイス２０００に伝送する。第２デバイス２０００は、アップロード遂行のために利用されもし、例えば、コンピュータ端末またはＷｉＦｉ（wireless fidelity）連結のためのホットスポット（hot spot）でもある。
【００７７】
図３は、図２のデバイス１０００が、相手デバイス２０００にタッチされたカードイメージに対応する決済情報を提供する方法の詳細フローチャートである。
【００７８】
段階Ｓ２２２で、デバイス１０００は、ユーザのタッチ入力が受信されることにより、ユーザの指紋を認識する。デバイス１０００は、デバイス１０００に含まれた指紋認識センサ（図示せず）を利用して、デバイス１０００の画面にタッチされたユーザの指から、ユーザの指紋を認識することができる。指紋認識センサ（図示せず）は、例えば、光学式センサ、熱感知式センサ、蓄電式センサ、半導体式センサ及び電場式センサのうち少なくとも一つでもあるが、それらに制限されるものではない。
【００７９】
段階Ｓ２２４で、デバイス１０００は、認識された指紋に基づいて、デバイス１０００のロックを解除する。デバイス１０００は、認識された指紋を、デバイス１０００にあらかじめ保存されているユーザの特性情報（例えば、指紋情報）と比較し、認識された指紋が、ユーザの特性情報（例えば、指紋情報）と、既設定の数値以上にマッチングされる場合、デバイス１０００のロックを解除することができる。
【００８０】
その場合、デバイス１０００には、ユーザの特性情報（例えば、指紋情報）がカードイメージ別にマッチングされて保存され、デバイス１０００は、タッチされたカードイメージに対応する指紋情報を、認識された指紋と比較することができる。
【００８１】
段階Ｓ２２６で、デバイス１０００は、デバイス１０００のロックが解除されることにより、決済情報を伝送するためのアプリケーションを実行する。段階Ｓ２２６で、実行されたアプリケーションは、相手デバイス２０００に、決済のために要求されたり利用される情報を提供することができる。
【００８２】
段階Ｓ２２８で、デバイス１０００は、実行されたアプリケーションを介して、ユーザタッチ入力によって選択されたカードイメージと係わる決済情報を、相手デバイスに提供する。決済情報は、ユーザによってタッチされたカードイメージに係わるカード情報及びユーザ情報を含んでもよい。カード情報は、例えば、カード番号及びカードの有効期間に係わる情報、並びにカードに係わる認証情報を含んでもよい。また、ユーザ情報は、ユーザの識別値、ユーザの生年月日に係わる情報を含んでもよい。
【００８３】
段階Ｓ２２９で、デバイス１０００は、認識された指紋に係わる指紋情報を、相手デバイスに提供する。デバイス１０００は、実行されたアプリケーションを介して、指紋情報を相手デバイス２０００に提供することができる。また、相手デバイス２０００は、受信された指紋情報を、決済サーバ３０００に提供することにより、決済を遂行することができる。
【００８４】
図４は、本発明の一実施形態による、デバイス１０００が決済環境によって決済に利用されるカードを推薦する方法のフローチャートである。
【００８５】
段階Ｓ２００で、デバイス１０００は、カード情報及びカード恩典情報を保存する。デバイス１０００は、ユーザ入力に基づいて、ユーザが所持したカードに係わる情報を保存することができる。カード情報は、カードの種類、カード番号及びカードの有効期間に係わる情報を含んでもよい。また、デバイス１０００は、決済サーバ３０００からカード情報を受信し、受信されたカード情報を保存することもできる。決済サーバ３０００は、クレジットカード社で運営するサーバでもあるが、それに制限されるものではない。その場合、デバイス１０００は、デバイス１０００に保存されたユーザプロファイル情報を決済サーバ３０００に提供し、決済サーバ３０００から提供されたユーザプロファイル情報に対応するカード情報を受信することができる。また、ユーザが新規に発給されたカードがある場合、デバイス１０００は、新規に発給されたカードに係わるカード情報を受信することもできる。
【００８６】
また、デバイス１０００は、ユーザ入力に基づいて、デバイス１０００に保存されたカード別カード恩典情報を保存することができる。デバイス１０００は、カード恩典情報を入力するためのユーザ・インターフェースを提供することができ、ユーザは、ユーザ・インターフェースを介して、デバイス１０００に保存されたカード別カード恩典情報を入力することができる。また、デバイス１０００は、相手デバイス２０００からカード恩典情報を受信し、受信されたカード恩典情報を保存することができる。相手デバイス２０００から受信されるカード恩典情報は、相手デバイス２０００を介して決済が遂行される場合に提供される恩典に係わる情報を含んでもよい。また、デバイス１０００は、決済サーバ３０００から、カード恩典情報を受信し、受信されたカード恩典情報を保存することができる。
【００８７】
カード恩典情報は、カード別にマッチングされて保存され、例えば、価格割引情報、ポイント積み立て情報及びクーポン情報を含んでもよい。また、カード恩典情報は、カードが利用される加盟店について異なる恩典に係わる情報を含んでもよい。
【００８８】
段階Ｓ２０５で、デバイス１０００は、ユーザのカード使用履歴を保存する。カード使用履歴は、例えば、決済に利用されたカード番号、決済時間、決済日付、加盟店名、決済位置、物品名、及びカード決済時に提供された恩典に係わる情報を含んでもよい。ユーザが、デバイス１０００を介してカード決済を行う場合、デバイス１０００は、決済に利用されたカードの使用履歴を保存することができるが、それに制限されるものではない。デバイス１０００を介するカード履歴情報が、決済サーバ３０００に累積されて保存され、デバイス１０００は、決済サーバ３０００に保存されたカード履歴情報を決済サーバ３０００から受信することもできる。
【００８９】
段階Ｓ２１０で、デバイス１０００は、決済環境に係わる情報を獲得する。ユーザがデバイス１０００を介してカード決済を試みる場合、デバイス１０００は、決済環境に係わる情報を獲得することができる。デバイス１０００は、決済環境に係わる情報を、デバイス１０００内のセンサ、相手デバイス２０００及び決済サーバ３０００のうち少なくとも一つから獲得することができる。決済環境に係わる情報は、決済時間、決済位置、加盟店及び物品に係わる情報を含んでもよい。
【００９０】
具体的には、デバイス１０００は、デバイス１０００の位置に係わる情報を獲得し、獲得された位置情報に基づいて、決済を遂行するのに適する加盟店を確認することができる。例えば、デバイス１０００は、ＧＰＳセンサ（図示せず）を利用して、デバイス１０００の位置に係わるＧＰＳ値を確認することができる。また、デバイス１０００は、デバイス１０００と連結されたＡＰ（access point）の識別値を確認することができる。また、デバイス１０００は、ＧＰＳ値及びＡＰの識別値のうち少なくとも一つに基づいて、デバイス１０００が位置した加盟店を確認することができる。その場合、ＧＰＳ値及びＡＰ識別値に対応する加盟店の情報が、デバイス１０００または別途のサーバ（図示せず）にあらかじめ保存されている。
【００９１】
また、デバイス１０００は、決済の対象になる物品に係わる物品情報を確認することができる。デバイス１０００は、物品情報を、物品に付着したマーカーを介して確認することができるが、それに制限されるものではない。デバイス１０００は、ＰＯＳ端末２０００から、物品情報を確認することもできる。デバイス１０００は、日付、時間、物品の識別値、物品の金額、及び前記ＰＯＳ端末に対応する加盟店の識別値のうち、少なくとも一つを受信することができるが、それに制限されるものではない。
【００９２】
また、デバイス１０００は、加盟店及び物品に係わる情報に基づいて、カード別にポイント積み立て率、ポイント積み立て限度、割引率及び割引限度を確認することができる。加盟店及び物品によるポイント積み立て率、ポイント積み立て限度、割引率及び割引限度に係わる情報は、デバイス１０００または別途のサーバ（図示せず）にあらかじめ保存されている。
【００９３】
段階Ｓ２２０で、デバイス１０００は、決済環境に基づいて、決済に利用されるカードを選択する。
【００９４】
デバイス１０００は、少なくとも１つのカード情報、カード恩典情報及び決済履歴を利用して、獲得された決済環境で、決済に利用されるカードを決定することができる。
【００９５】
具体的には、デバイス１０００は、カード決済履歴に基づいて、獲得された決済環境で、既設定の数値以上に使用されたカードを抽出することができる。例えば、加盟店「Ａ」で、カード「Ａ」、カード「Ｂ」、カード「Ｃ」及びカード「Ｄ」が使用され、獲得された決済環境に含まれた加盟店が「Ａ」であるならば、デバイス１０００は、カード情報から、カード「Ａ」、カード「Ｂ」、カード「Ｃ」及びカード「Ｄ」を抽出することができる。また、例えば、加盟店「Ａ」で、カード「Ｃ」、カード「Ａ」が既設定の数値以上に利用された場合、獲得された決済環境に含まれた加盟店が「Ａ」であるならば、デバイス１０００は、カード情報から、カード「Ｃ」、カード「Ａ」を抽出することができる。
【００９６】
また、例えば、「１１：００〜１４：００」で、カード「Ａ」、カード「Ｂ」、カード「Ｃ」及びカード「Ｄ」が使用され、獲得された決済環境に含まれた決済時間が、「１１：００〜１４：００」であるならば、デバイス１０００は、カード情報から、カード「Ａ」、カード「Ｂ」、カード「Ｃ」及びカード「Ｄ」を抽出することができる。また、例えば、「１１：００〜１４：００」で使用されたカードのうち、カード「Ａ」、カード「Ｂ」の優先順位が高い場合、獲得された決済環境に含まれた加盟店が「Ａ」であるならば、デバイス１０００は、カード情報から、カード「Ａ」、カード「Ｂ」を抽出することができる。その場合、カードに係わる優先順位は、既設定の基準によって決定されたり、あるいはユーザ入力に基づいて決定されてもよい。また、カードに係わる優先順位を、カード別恩典を反映させて決定されてもよいが、それに制限されるものではない。
【００９７】
また、デバイス１０００は、決済履歴及び決済環境に含まれた複数の項目を考慮し、カードを抽出することもできる。その場合、デバイス１０００は、決済履歴及び決済環境に含まれた項目別に所定の加重値を適用し、複数の項目に係わる加重値を考慮し、獲得された決済環境で抽出するカードを決定することができる。
【００９８】
段階Ｓ２２５で、デバイス１０００は、カード恩典情報に基づいて、決済に利用されるカードを推薦する。デバイス１０００は、カード恩典情報に基づいて、抽出されたカードに係わる恩典を比較することができ、比較結果に基づいて、既設定の数値以上の恩典を有するカードを推薦することができる。デバイス１０００は、例えば、ユーザが好むカード恩典の種類または恩典を金額で算出した金額などに基づいて、推薦するカードを決定することができる。また、デバイス１０００は、カード別に提供される恩典に係わる情報を画面にディスプレイし、ユーザがディスプレイされた恩典情報に基づいて、所定のカードを選択するようにすることができる。
【００９９】
その場合、デバイス１０００は、カードに係わる恩典情報を、決済サーバ３０００から受信することができる。デバイス１０００は、デバイス１０００に保存されたカードに係わる情報を、決済サーバ３０００に伝送し、決済サーバ３０００から、カードに係わる恩典情報を受信することができるが、それに制限されるものではない。
【０１００】
デバイス１０００は、商店の端末（図示せず）からカード恩典情報を受信することもできる。その場合、商店の端末（図示せず）は、当該商店で恩典を付与するカードの種類及び恩典に係わる情報を、商店内のデバイス１０００に伝送することができる。商店の端末（図示せず）は、ＳＭＳ（short message service）／ＭＭＳ（multi-mode service）を介して、デバイス１０００に恩典情報を提供することができるが、それに制限されるものではない。また、商店の端末（図示せず）は、ＷＩＦＩネットワークを介して、恩典情報をデバイス１０００に提供することができる。
【０１０１】
また、デバイス１０００は、ディスプレイ・モードによって、決済に利用されるカードを自動的に選択したり、あるいはユーザ入力によって選択することができる
【０１０２】
一方、デバイス１０００は、決済に利用されるカードの推薦リストを、デバイス１０００のロック解除画面上に表示することもできる。例えば、推薦されたカードのイメージは、デバイス１０００のロック解除画面上に表示されたロック解除ボタン上に表示されるが、それに制限されるものではない。
【０１０３】
その場合、ユーザがロック解除画面に表示されたカードイメージを選択すれば、選択されたカードに係わるＰＩＮ（personal identification number）番号を入力することができるユーザ・インターフェースがディスプレイされるが、それに制限されるものではない。ユーザが、ロック解除画面に表示されたカードイメージをタッチすれば、デバイス１０００は、ユーザのタッチ入力に基づいて、ユーザの指紋を認識し、認識された指紋に基づいて、デバイス１０００のロックを解除して決済を遂行することができる。
【０１０４】
また、ユーザが、ロック解除画面に表示されたカードイメージを選択すれば、ユーザイメージ及び音声に基づいて、ユーザを認証することもできる。例えば、デバイス１０００は、ユーザの顔を撮影し、撮影されたユーザが、ロック解除画面に表示されたカードのユーザであるか否かを認証することができる。また、例えば、デバイス１０００は、ユーザの虹彩を認識することにより、ユーザを認証することができる。また、例えば、デバイス１０００は、ユーザの音声を録音し、録音された音声に基づいて、ユーザを認証することもできる。
【０１０５】
一方、ユーザがカード推薦リストから所定のカードを選択すれば、選択されたカードに係わる決済ウィンドーがデバイス１０００の画面に表示されもする。デバイス１０００の画面に表示された決済ウィンドーは、カード情報、クーポン情報、決済金額及びＰＩＮコード入力のフィールドを含んでもよい。また、ユーザは、ＰＩＮコード入力フィールドに選択されたカードに係わるＰＩＮコードを入力することにより、選択されたカードを介する決済を認証させることができる。
【０１０６】
また、選択されたカードを介する決済が安全である場合、決済ウィンドーの一部または全部が、既設定の色相に表示されもする。デバイス１０００は、選択されたカードに係わる決済情報が、安全にＰＯＳ端末２０００及びサーバ３０００に伝送されるか否かを確認し、決済情報が安全に伝送される場合、ユーザがあらかじめ設定した色相で、決済ウィンドーを表示することができる。デバイス１０００は、ＰＯＳ端末２０００及びサーバ３０００から、別途の認証情報を受信することにより、選択されたカードに係わる決済情報が、ＰＯＳ端末２０００及びサーバ３０００に安全に伝送されるか否かを確認することができるが、それに制限されるものではない。
【０１０７】
図５は、図２のデバイス１０００が、ロック解除画面上にカードイメージを配列して表示する方法の詳細フローチャートである。
【０１０８】
段階Ｓ２０２で、デバイス１０００は、相手デバイス２０００から、決済可能なカードに係わる情報を受信することができる。段階Ｓ２０２で、デバイス１０００は、相手デバイス２０００から、既設定の範囲内に近接することにより、相手デバイス２０００から、決済可能なカードに係わる情報を受信することができる。デバイス１０００と相手デバイス２０００との距離が既設定の範囲以内であるならば、デバイス１０００は、相手デバイス２０００から、決済可能なカードに係わる情報を受信することができる。決済可能なカードに係わる情報は、例えば、カードの種類、カードに係わるポイント積み立て率及び割引率に係わる情報を含んでもよいが、それらに制限されるものではない。
【０１０９】
段階Ｓ２０４で、デバイス１０００は、決済可能なカードを所定の基準によって、配列して表示する。段階Ｓ２０４で、デバイス１０００は、ポイント積み立て率及び割引率のうち少なくとも一つに基づいて、カードイメージをデバイス１０００のロック解除画面上に配列することができる。例えば、デバイス１０００は、ポイント積み立て率及び割引率が高いカードを、ポイント積み立て率及び割引率が低いカードよりも前に配列することができる。
【０１１０】
また、デバイス１０００は、デバイス１０００の位置に基づいて、デバイス１０００の位置にマッチングされたカードを、デバイス１０００の位置にマッチングされていないカードよりも前に配列することができる。例えば、デバイス１０００は、デバイス１０００が「Ａ」売り場に位置した場合、「Ｋ」カードを先に表示することができる。また、例えば、デバイス１０００が「Ｂ」」売り場に位置した場合、デバイス１０００は、「Ｈ」カードを先に表示することができる。その場合、位置情報は、ＧＰＳ値、及びデバイス１０００と連結されたＡＰの識別値のうち少なくとも一つを含んでもよいが、それに制限されるものではない。また、デバイス１０００は、ＧＰＳ値、及びデバイス１０００と連結されたＡＰの識別値のうち少なくとも一つに基づいて、デバイス１０００が位置した売り場を確認することができる。その場合、ＧＰＳ値、及びデバイス１０００と連結されたＡＰの識別値のうち少なくとも一つにマッチングされる売り場の識別値が、デバイス１０００にあらかじめ保存されもする。
【０１１１】
また、デバイス１０００の位置に基づいて、カードイメージを配列する場合には、段階Ｓ２０２が省略されもする。その場合、デバイス１０００の位置に対応する売り場で使用可能なカードに係わる情報は、デバイス１０００にあらかじめ保存される。
【０１１２】
また、デバイス１０００は、ユーザのカード使用回数及びユーザの選好度のうち少なくとも一つに基づいて、カードイメージをデバイス１０００のロック解除画面上に配列することができる。例えば、デバイス１０００は、使用回数が多いカードを、使用回数が少ないカードより先に表示することができる。また、例えば、デバイス１０００は、ユーザの選好度が高いカードを、選好度が低いカードより先に表示することができる。ユーザ選好度は、カード使用回数及びカード決済金額に基づいて、多様なアルゴリズムを介して算出される。
【０１１３】
図６は、図１のデバイス１０００が、ロック解除画面上のカードイメージを差別性をもって（distinctively）表示する方法の詳細フローチャートである。
【０１１４】
段階Ｓ２０６で、デバイス１０００は、相手デバイス２０００から決済可能なカードに係わる情報を受信することができる。段階Ｓ２０６で、デバイス１０００は、相手デバイス２０００から、既設定の範囲内に近接することにより、相手デバイス２０００から、決済可能なカードに係わる情報を受信することができる。決済可能なカードに係わる情報は、例えば、カードの種類、カードに係わるポイント積み立て率及び割引率に係わる情報を含んでもよいが、それらに制限されるものではない。
【０１１５】
段階Ｓ２０８で、デバイス１０００は、決済可能なカードを、所定の基準によって強調して表示する。段階Ｓ２０８で、デバイス１０００は、決済可能なカードを、デバイス１０００のロック解除画面上に強調して表示することができる。デバイス１０００は、例えば、決済可能なカードに対応するカードイメージの色相を変更して表示したり、あるいは、カードイメージの枠の厚みを厚く表示することができる。また、デバイス１０００は、例えば、決済可能なカードの下に表示されたロック解除ボタンの色相または枠の厚みを変更して表示することができる。
【０１１６】
また、段階Ｓ２０８で、デバイス１０００は、ポイント積み立て率及び割引率のうち少なくとも一つに基づいて、所定のカードイメージを強調して表示することができる。例えば、デバイス１０００は、ポイント積み立て率及び割引率が高いカードを強調して表示することができる。
【０１１７】
また、デバイス１０００は、デバイス１０００の位置に基づいて、デバイス１０００の位置にマッチングされたカードを強調して表示することができる。例えば、デバイス１０００は、デバイス１０００が「Ａ」売り場に位置した場合、「Ｋ」カードを強調して表示することができる。また、例えば、デバイス１０００が「Ｂ」」売り場に位置した場合、デバイス１０００は、「Ｈ」カードを強調して表示することができる。その場合、位置情報は、ＧＰＳ値、及びデバイス１０００と連結されたＡＰの識別値のうち少なくとも一つを含んでもよいが、それらに制限されるものではない。また、デバイス１０００は、ＧＰＳ値、及びデバイス１０００と連結されたＡＰの識別値のうち少なくとも一つに基づいて、デバイス１０００が位置した売り場を確認することができる。その場合、ＧＰＳ値、及びデバイス１０００と連結されたＡＰの識別値のうち少なくとも一つにマッチングされる売り場の識別値が、デバイス１０００にあらかじめ保存されもする。
【０１１８】
また、デバイス１０００の位置に基づいて、カードイメージを強調して表示する場合には、段階Ｓ２０２が省略されもする。その場合、デバイス１０００の位置に対応する売り場で使用可能なカードに係わる情報は、デバイス１０００にあらかじめ保存されもする。
【０１１９】
また、デバイス１０００は、ユーザのカード使用回数及びユーザの選好度のうち少なくとも一つに基づいて、カードイメージを強調して表示することができる。例えば、デバイス１０００は、使用回数が多いカードを強調して表示することができる。また、例えば、デバイス１０００は、ユーザの選好度が高いカードを強調して表示することができる。ユーザ選好度は、カード使用回数及びカード決済金額に基づいて、多様なアルゴリズムを介して算出される。
【０１２０】
図７は、本発明の一実施形態による、デバイス１０００が相手デバイス２０００と近接することにより、推薦されたカードを表示する一例を図示した図面である。
【０１２１】
図７を参照すれば、デバイス１０００が、相手デバイス２０００に近接することにより、相手デバイス２０００は、デバイス１０００に決済環境に係わる情報を提供することができる。決済環境に係わる情報は、例えば、相手デバイス２０００のデバイス情報、決済時間、決済位置、加盟店及び物品に係わる情報を含んでもよい。
【０１２２】
また、デバイス１０００は、決済環境に係わる情報に基づいて、ユーザに推薦するカードを決定することができ、推薦されたカードのイメージを、デバイス１０００のロック解除画面上に表示することができる。従って、デバイス１０００が、相手デバイス２０００から、既設定の範囲以内に近接することにより、デバイス１０００は、ロック解除画面上に、カードイメージを表示することができる。
【０１２３】
図８は、本発明の一実施形態による、デバイス１０００が、相手デバイス２０００と近接することにより、推薦されたカードを表示して決済情報を提供する方法のフローチャートである。
【０１２４】
段階Ｓ８００で、デバイス１０００は、相手デバイス２０００と近距離接触する。デバイス１０００及び相手デバイス２０００は、所定の範囲内に近接することができ、デバイス１０００と相手デバイス２０００とが互いに近接することにより、デバイス１０００と相手デバイス２０００は、近距離無線通信によって、互いに連結される。近距離無線通信は、例えば、ＮＦＣ、ジグビー（ZigBee）通信、ＲＦＩＤ（radio frequency identification）通信、ＵＷＢ（ultra wide band）通信のうち少なくとも一つを含んでもよい。
【０１２５】
段階Ｓ８０２で、デバイス１０００は、相手デバイス２０００から、決済環境に係わる情報を受信する。決済環境に係わる情報は、決済時間、決済位置、加盟店及び物品の識別のうち少なくとも一つに係わる情報を含んでもよい。
【０１２６】
段階Ｓ８０４で、デバイス１０００は、ロック解除画面上に、推薦されたカードを表示する。デバイス１０００は、決済環境及びカード恩典情報に基づいて、決済に利用されるカードを推薦することができ、推薦されたカードのリストを、デバイス１０００のロック解除画面上に表示することができる。デバイス１０００は、複数のカードイメージを、所定の基準によって配列して表示することができる。また、デバイス１０００は、所定のカードイメージを強調して表示することができる。
【０１２７】
段階Ｓ８０６で、デバイス１０００は、ユーザ入力に基づいて、決済に利用されるカードを選択する。ユーザが、デバイス１０００のロック解除画面に表示された所定のカードイメージをタッチすることにより、デバイス１０００は、ユーザによってタッチされたカードを、決済に利用されるカードとして選択することができる。
【０１２８】
段階Ｓ８０８で、デバイス１０００は、選択されたカードに係わる決済情報を、相手デバイス２０００に提供する。デバイス１０００は、ユーザによってタッチされたカードイメージに係わるカード情報及びユーザ情報を、デバイス１０００のメモリから抽出することができ、抽出されたカード情報及びユーザ情報を、相手デバイス２０００に提供することができる。カード情報は、例えば、カード番号及びカードの有効期間に係わる情報、並びにカードに係わる認証情報を含んでもよい。また、ユーザ情報は、ユーザの識別値、ユーザの生年月日に係わる情報を含んでもよい。
【０１２９】
また、デバイス１０００は、カードイメージに対するタッチ入力が、既設定の時間以上維持される場合、決済情報を相手デバイス２０００に提供することができる。カードイメージに対するタッチ入力が維持された状態で、デバイス１０００が、相手デバイス２０００に近接する場合、デバイス１０００は、相手デバイス２０００に、決済情報を提供することができるが、それに制限されるものではない。
【０１３０】
段階Ｓ８１０で、デバイス１０００は、選択されたカードに係わる決済情報を、決済サーバ３０００に提供する。デバイス１０００は、カードイメージに対するタッチ入力が、既設定の時間以上維持される場合、決済情報を、相手デバイス２０００に提供することができるが、それに制限されるものではない。
【０１３１】
図９は、本発明の一実施形態による、デバイス１０００のロック解除画面上に、カードイメージが表示される一例を図示した図面である。
【０１３２】
図９を参照すれば、デバイス１０００のロック解除画面上に、ロック解除ボタンが表示され、所定のカードイメージが、ロック解除ボタン上にそれぞれオーバーラップされて表示される。その場合、ロック解除画面上に表示されるカードイメージは、相手デバイス２０００を介して決済可能なカードのイメージでもある。また、カードイメージは、カードの種類、カードに係わるポイント積み立て率及び割引率に係わる情報に基づいて、既設定の基準によって配列される。
【０１３３】
また、ユーザは、カードイメージとロック解除ボタンとを利用して、デバイス１０００のロックを解除することができる。例えば、タッチ＆ドラッグ入力に基づいて、カードイメージ及びロック解除ボタンが所定の順序で選択される場合、デバイス１０００のロックが解除される。
【０１３４】
図１０は、本発明の他の実施形態による、デバイス１０００のロック解除画面上にカードイメージが表示される一例を図示した図面である。
【０１３５】
図１０を参照すれば、デバイス１０００のロック解除画面上に、ロック解除ボタンが表示され、所定のカードイメージが、所定のロック解除ボタンの代わりに表示されもする。その場合、ロック解除画面上に表示されるカードイメージは、相手デバイス２０００を介して決済可能なカードのイメージでもある。また、カードイメージは、カードの種類、カードに係わるポイント積み立て率及び割引率に係わる情報に基づいて、既設定の基準によって配列されもする。
【０１３６】
また、ユーザは、カードイメージとロック解除ボタンとを利用して、デバイス１０００のロックを解除することができる。例えば、タッチ＆ドラッグ入力に基づいて、カードイメージ及びロック解除ボタンが、所定の順序で選択される場合、デバイス１０００のロックが解除される。
【０１３７】
図１１は、本発明の他の実施形態によるデバイス１０００のロック解除画面上に、カードイメージが表示される一例を図示した図面である。
【０１３８】
図１１を参照すれば、デバイス１０００のロック解除画面上には、ロック解除ボタンが表示されず、カードイメージのみ表示される。その場合、ロック解除画面上に表示されるカードイメージは、相手デバイス２０００を介して決済可能なカードのイメージでもある。また、カードイメージは、カードの種類、カードに係わるポイント積み立て率及び割引率に係わる情報に基づいて、既設定の基準によって配列される。
【０１３９】
図１２は、本発明の一実施形態による、カードイメージが区別されるように表示される一例を図示した図面である。
【０１４０】
図１２を参照すれば、デバイス１０００のロック解除画面上に表示されたカードイメージにおいて、積み立て率が高い「Ｋカード」のカードイメージ、及びユーザの選好度が高い「Ｓカード」のカードイメージが強調されて表示される。例えば、「Ｋカード」及び「Ｓカード」のカードイメージの枠が厚く表示される。しかし、それに制限されるものではなく、カードイメージの色相または大きさが変更されて表示されてもよい。また、カードイメージが立体的に表示されてもよい。
【０１４１】
図１３は、本発明の他の実施形態によるカードイメージが差別性をもって表示される一例を図示した図面である。
【０１４２】
図１３を参照すれば、デバイス１０００のロック解除画面上に表示されたカードイメージにおいて、積み立て率が高い「Ｋカード」、及びユーザの選好度が高い「Ｓカード」の下に表示されたロック解除ボタンが強調されて表示される。例えば、「Ｋカード」及び「Ｓカード」のカードイメージ下のロック解除ボタンの枠が厚く表示されもする。しかし、それに制限されるものではないし、ロック解除ボタンの色相または大きさが変更されて表示されてもよい。また、ロック解除ボタンが立体的に表示されてもよい。
【０１４３】
また、図９ないし図１３を参照すれば、デバイス１０００のロック解除画面上には、カードイメージと共に、クーポンイメージが表示されもする。デバイス１０００は、所定の物品の決済に利用されるクーポンを推薦することができ、推薦されたクーポンのイメージを、ロック解除画面上に表示することができる。また、ユーザが、ロック解除画面上に表示されたカードイメージ及びクーポンイメージを選択することにより、デバイス１０００は、ユーザによって選択されたカード及びクーポンに係わる情報を、相手デバイス２０００及び決済サーバ３０００に提供することができる。
【０１４４】
図１４は、本発明の一実施形態によるデバイス１０００の詳細構成図である。
【０１４５】
図１４に図示されたように、本発明の一実施形態によるデバイス１０００は、ディスプレイ部１１００、カードイメージ配列部１２００、ユーザ入力受信部１３００、指紋認識部１４００、ロック解除部１５００、決済情報提供部１６００、メモリ１７００、送受信部１８００及び制御部１９００を含む。
【０１４６】
ディスプレイ部１１００は、ロック解除画面に表示されたロック解除ボタン上に、少なくとも１つのカードイメージを表示することができる。ロック解除画面上に表示されたカードイメージは、デバイス１０００のロックを解除するのに利用されもする。また、ディスプレイ部１１００は、ロック解除画面上に、ロック解除ボタンを表示せず、少なくとも一つ以上のカードイメージを表示することもできる。
【０１４７】
また、デバイス１０００が、相手デバイス２０００から既設定の範囲以内に近接することにより、ディスプレイ部１１００は、ロック解除画面上に、カードイメージを表示することができる。例えば、デバイス１０００が相手デバイス２０００に、ＮＦＣ通信を介して近距離接触すれば、ディスプレイ部１１００は、所定のカードイメージをロック解除画面に表示することができる。
【０１４８】
また、ディスプレイ部１１００は、複数のカードイメージを所定の基準によって、配列して表示することができる。また、ディスプレイ部１１００は、所定のカードイメージを強調して表示することができる。ディスプレイ部１１００は、例えば、決済可能なカードに対応するカードイメージの色相を変更して表示したり、あるいは、カードイメージの枠の厚みを厚く表示することができる。また、ディスプレイ部１１００は、例えば、決済可能なカードの下に表示されたロック解除ボタンの色相または枠の厚みを変更して表示することができる。
【０１４９】
カードイメージ配列部１２００は、決済可能なカードを、所定の基準によって配列する。カードイメージ配列部１２００は、決済可能なカードに係わる情報を利用して、カードイメージを、所定の基準によって配列することができる。その場合、デバイス１０００は、相手デバイス２０００から、既設定の範囲内に近接することにより、相手デバイス２０００から、決済可能なカードに係わる情報を受信することができる。決済可能なカードに係わる情報は、例えば、カードの種類、カードに係わるポイント積み立て率及び割引率に係わる情報を含んでもよいが、それらに制限されるものではない。また、カードイメージ配列部１２００は、決済に利用されるカードを推薦し、推薦されたカードのリストを区別して配列することができる。カードイメージ配列部１２００は、デバイス１０００の決済環境、決済履歴及びカード恩典情報に基づいて、決済に利用されるカードを推薦して配列することができる。
【０１５０】
また、カードイメージ配列部１２００は、ポイント積み立て率及び割引率のうち少なくとも一つに基づいて、カードイメージをデバイス１０００のロック解除画面上に配列することができる。例えば、デバイス１０００は、ポイント積み立て率及び割引率が高いカードをポイント積み立て率、及び割引率が低いカードより、先に配列することができる。
【０１５１】
また、カードイメージ配列部１２００は、デバイス１０００の位置に基づいて、デバイス１０００の位置にマッチングされたカードを、デバイス１０００の位置にマッチングされていないカードより、先に配列することができる。例えば、カードイメージ配列部１２００は、デバイス１０００が「Ａ」売り場に位置した場合、「Ｋ」カードを先に配列することができる。また、例えば、デバイス１０００が「Ｂ」」売り場に位置した場合、カードイメージ配列部１２００は、「Ｈ」カードを先に配列することができる。その場合、位置情報は、ＧＰＳ値、及びデバイス１０００と連結されたＡＰの識別値のうち少なくとも一つを含んでもよいが、それに制限されるものではない。また、カードイメージ配列部１２００は、ＧＰＳ値、及びデバイス１０００と連結されたＡＰの識別値のうち少なくとも一つに基づいて、デバイス１０００が位置した売り場を確認することができる。その場合、ＧＰＳ値、及びデバイス１０００と連結されたＡＰの識別値のうち少なくとも一つにマッチングされる売り場の識別値が、デバイス１０００にあらかじめ保存されもする。デバイス１０００の位置に対応する売り場で使用可能なカードに係わる情報は、デバイス１０００にあらかじめ保存されもするが、それに制限されるものではない。
【０１５２】
また、カードイメージ配列部１２００は、ユーザのカード使用回数及びユーザの選好度のうち少なくとも一つに基づいて、カードイメージをデバイス１０００のロック解除画面上に配列することができる。例えば、カードイメージ配列部１２００は、使用回数が多いカードを、使用回数が少ないカードより先に配列することができる。また、例えば、デバイス１０００は、ユーザの選好度が高いカードを、選好度が低いカードより先に配列することができる。ユーザ選好度は、カード使用回数及びカード決済金額に基づいて多様なアルゴリズムを介して算出されもする。
【０１５３】
ユーザ入力受信部１３００は、カードイメージに係わるユーザのタッチ入力を受信する。ユーザがデバイス１０００のロック解除画面に表示された所定のカードイメージをタッチすることにより、ユーザ入力受信部１３００は、ユーザのタッチ入力を受信することができる。
【０１５４】
指紋認識部１４００は、ユーザのタッチ入力が受信されることにより、ユーザの指紋を認識する。指紋認識部１４００は、デバイス１０００に含まれた指紋認識センサ（図示せず）を利用して、デバイス１０００の画面にタッチされたユーザの指からユーザの指紋を認識することができる。指紋認識センサ（図示せず）は、例えば、光学式センサ、熱感知式センサ、蓄電式センサ、半導体式及び電場式センサのうち少なくとも一つでもあるが、それらに制限されるものではない。
【０１５５】
ロック解除部１５００は、認識された指紋に基づいて、デバイス１０００のロックを解除する。ロック解除部１５００は、認識された指紋を、デバイス１０００にあらかじめ保存されているユーザの特性情報（例えば、指紋情報）と比較し、認識された指紋がユーザの特性情報（例えば、指紋情報）と既設定の数値以上に一致する場合、デバイス１０００のロックを解除することができる。
【０１５６】
その場合、デバイス１０００には、ユーザの特性情報（例えば、指紋情報）が、カードイメージ別にマッチングされて保存され、ロック解除部１５００は、タッチされたカードイメージに対応する指紋情報を、認識された指紋と比較することができる。
【０１５７】
決済情報提供部１６００は、デバイス１０００のロックが解除されることにより、ユーザによってタッチされたカードイメージに対応する決済情報を、相手デバイス２０００に提供する。決済情報提供部１６００は、デバイス１０００のロックが解除されることにより、決済情報を伝送するためのアプリケーションを実行することができ、決済情報提供部１６００は、実行されたアプリケーションを利用して、決済情報を相手デバイス２０００に提供することができる。
【０１５８】
決済情報提供部１６００は、ユーザによってタッチされたカードイメージに係わるカード情報及びユーザ情報を、メモリ１７００から抽出することができ、抽出されたカード情報及びユーザ情報を、相手デバイス２０００に提供することができる。カード情報は、例えば、カード番号及びカードの有効期間に係わる情報、並びにカードに係わる認証情報を含んでもよい。また、ユーザ情報は、ユーザの識別値、ユーザの生年月日に係わる情報を含んでもよい。
【０１５９】
また、決済情報提供部１６００は、カードイメージに対するタッチ入力が、既設定の時間以上維持される場合、決済情報を、相手デバイス２０００に提供することができる。カードイメージに対するタッチ入力が維持される間、デバイス１０００が相手デバイス２０００に近接する場合、決済情報提供部１６００は、相手デバイス２０００に、決済情報を提供することができるが、それに制限されるものではない。
【０１６０】
また、決済情報提供部１６００は、カードイメージに対するタッチ入力に基づいて、獲得される指紋情報が有効である場合、相手デバイス２０００に決済情報を提供することができる。
【０１６１】
また、決済情報提供部１６００は、認識された指紋に係わる指紋情報を、相手デバイスに提供することができる。その場合、相手デバイス２０００は、受信された指紋情報を、決済サーバ３０００に提供することにより、決済を遂行することができる。
【０１６２】
メモリ１７００は、デバイス１０００がロック解除画面上に、カードイメージを表示し、カード決済のための情報を相手デバイス２０００に提供するために必要な各種の情報を保存する。
【０１６３】
送受信部１８００は、カード決済のための情報を、相手デバイス２０００及び決済サーバ（図示せず）と送受信し、デバイス１０００がロック解除画面上に、カードイメージを表示するのに必要な各種の情報を、相手デバイス２０００及び決済サーバ（図示せず）と送受信する。
【０１６４】
制御部１９００は、デバイス１０００の全体動作を制御し、デバイス１０００がロック解除画面上に、カードイメージを表示し、カード決済のための情報を相手デバイス２０００に提供するように、ディスプレイ部１１００、カードイメージ配列部１２００、ユーザ入力受信部１３００、指紋認識部１４００、ロック解除部１５００、決済情報提供部１６００、メモリ１７００及び送受信部１８００を制御する。
【０１６５】
図１５は、本発明の他の実施形態によるデバイス１０００のブロック図である。
【０１６６】
移動通信部１００１は、３Ｇ／４Ｇのようなセルラネットワークを介して、基地局とのコール設定、データ通信などを遂行する。サブ通信部１００２は、ブルートゥースやＮＦＣなど近距離通信のための機能を遂行する。放送部１００３は、ＤＭＢ（digital multimedia broadcasting）放伝送号を受信する。
【０１６７】
カメラ部１００４は、写真や動画を撮影するためのレンズ及び光学素子を含む。
【０１６８】
センサ部１００５は、デバイス１０００の動きを感知する重力センサ、光の明度を感知する照度センサ、人の近接度を感知する近接センサ、人の動きを感知するモーションセンサなどを含んでもよい。
【０１６９】
ＧＰＳ受信部１００６は、人工衛星からＧＰＳ信号を受信する。このようなＧＰＳ信号を利用して、多様なサービスがユーザに提供される。
【０１７０】
入出力部１０１０は、外部機器と人とのインターフェースを提供し、ボタン１０１１、マイク１０１２、スピーカ１０１３、振動モータ１０１４、コネクタ１０１５、キーパッド１０１６を含む。
【０１７１】
タッチスクリーン１０１８は、ユーザのタッチ入力を受信する。ここでのタッチ入力は、ドラッグ・ジェスチャによるものでもあり、タップ・ジェスチャによるものでもある。タッチスクリーン・コントローラ１０１７は、タッチスクリーン１０１８を介して入力されたタッチ入力を、制御部１０５０に伝達する。電源供給部１０１９は、デバイス１０００に必要な電力を供給するために、バッテリまたは外部電源ソースと連結される。
【０１７２】
制御部１０５０は、メモリ１０６０に保存されたプログラムを実行することにより、本発明によって、ロック解除画面上のイメージを利用して、決済情報を、相手デバイス２０００に提供する。
【０１７３】
メモリ１０６０に保存されたプログラムは、その機能によって、複数個のモジュールに分類することができるが、移動通信モジュール１０６１、ＷｉＦｉモジュール１０６２、ブルートゥース・モジュール１０６３、ＤＭＢモジュール１０６４、カメラ・モジュール１０６５、センサ・モジュール１０６６、ＧＰＳモジュール１０６７、動画再生モジュール１０６８、オーディオ再生モジュール１０６９、電源モジュール１０７０、タッチスクリーン・モジュール１０７１、ＵＩ（user interface）モジュール１０７２、アプリケーション・モジュール１０７３などに分類されもする。また、メモリ１０６０に保存されたプログラムは、ＮＦＣ通信のためのモジュールとして、ブルートゥース・モジュール１０６３以外のＮＦＣモジュール（図示せず）を含んでもよい。また、各モジュールの機能は、その名称から当業者が直観的に推論することができるであろう。
【０１７４】
また、本発明の一実施形態による、ロック解除画面上のイメージを利用して、決済情報を提供するための動作について例を挙げて説明すれば、以下の通りである。
【０１７５】
移動通信モジュール１０６１、ＷｉＦｉモジュール１０６２、ブルートゥース・モジュール１０６３及びＮＦＣモジュール（図示せず）のうち少なくとも一つは、デバイス１０００が、相手デバイス２０００から決済可能なカードに係わる情報を受信するようにすることができる。例えば、デバイス１０００が、相手デバイス２０００に近接することにより、デバイス１０００は、ＮＦＣモジュール（図示せず）を介して、カード情報を受信することができる。
【０１７６】
また、アプリケーション・モジュール１０７３は、カード情報を利用して、ロック解除画面に表示するカードイメージを決定し、決定されたカードイメージを、いかように配列して表示するかを決定することができる。また、ＵＩモジュール１０７２は、アプリケーション・モジュール１０７３の決定に基づいて、カードイメージを、ロック解除画面上に表示することができる。
【０１７７】
また、タッチスクリーン・モジュール１０７１は、カードイメージに係わるユーザのタッチ入力を受信し、センサ・モジュール１０６６は、ユーザのタッチ入力から、ユーザの指紋を認識することができる。
【０１７８】
また、アプリケーション・モジュール１０７３は、認識された指紋情報が、メモリ１０６０に保存された指紋情報と類似した場合、デバイス１０００のロックを解除することができる。また、アプリケーション・モジュール１０７３は、ユーザのタッチ入力によって、選択されたカードに係わるカード情報及び認識された指紋情報を、相手デバイス２０００に提供することができる。その場合、アプリケーション・モジュール１０７３は、移動通信モジュール１０６１、ＷｉＦｉモジュール１０６２、ブルートゥース・モジュール１０６３及びＮＦＣモジュール（図示せず）のうち少なくとも一つを介して、カード情報及び指紋情報を、相手デバイス２０００に提供することができる。
【０１７９】
前述のように、このような連結情報は、セルラネットワークを介して、プッシュサーバに伝達し、最終的にユーザが、連絡先から選択した第２携帯端末にプッシュされる。連結情報を獲得した相手携帯端末から、無線ＬＡＮ（local area network）を介する連結が要請されれば、アプリケーション・モジュール１０７３は、ＷｉＦｉモジュール１０６２と連携し、相手携帯端末と無線ＬＡＮリンクを形成する。
【０１８０】
次に、携帯端末１０００が、第２携帯端末として動作する場合について説明する。移動通信部１００１を介して、連結情報を含むプッシュ・メッセージが受信されれば、アプリケーション・モジュール１０７３は、画面に、第１携帯端末と無線ＬＡＮリンクを設定するか否かを問う選択メニューを表示する。もしユーザが、タッチスクリーン１０１８を介して、連結を承認するボタンをタッチすれば、アプリケーション・モジュール１０７３は、ＷｉＦｉモジュール１０６２と連携し、第１携帯端末との無線ＬＡＮリンクを形成する。
【０１８１】
本発明の一実施形態は、コンピュータによって実行されるプログラム・モジュールのような、コンピュータによって実行可能な命令語を含む記録媒体の形態で具現されもする。コンピュータ可読媒体は、コンピュータによってアクセスされる任意の可用媒体でもあり、揮発性媒体及び不揮発性媒体、分離型媒体及び非分離型媒体をいずれも含む。また、コンピュータ可読媒体は、コンピュータ記録媒体及び通信媒体をいずれも含んでもよい。コンピュータ記録媒体は、コンピュータ可読命令語、データ構造、プログラム・モジュール、またはその他のデータのような情報の保存のための任意の方法または技術で具現された揮発性及び不揮発性、分離型及び非分離型の媒体をいずれも含む。通信媒体は、典型的には、コンピュータ可読命令語、データ構造、プログラム・モジュール、または搬送波のような変調されたデータ信号のその他データ、またはその他の伝送メカニズムを含み、任意の情報伝達媒体を含む。
【０１８２】
前述の本発明の説明は、例示のためのものであり、本発明が属する技術分野の当業者であるならば、本発明の技術的思想や必須な特徴を変更せずとも、他の具体的な形態に容易に変形が可能であるということを理解することができるであろう。従って、以上で記述した実施形態は、全ての面で、例示的なものであり、限定的ではないということを理解しなければならない。
【０１８３】
本発明の範囲は、前記詳細な説明よりは、特許請求の範囲によって示され、特許請求の範囲の意味及び範囲、そしてその均等概念から導き出される全ての変更または変形された形態が、本発明の範囲に含まれるものであると解釈されなければならない。
【産業上の利用可能性】
【０１８４】
本発明の画面上のイメージを利用して、インタラクション情報を提供する装置及びその方法は、例えば、移動通信端末を利用した決済関連の技術分野に効果的に適用可能である。
【符号の説明】
【０１８５】
１０００    デバイス
１００１    移動通信部
１００２    サブ通信部
１００３    放送受信部
１００４    カメラ部
１００５    センサ部
１００６    ＧＰＳ受信部
１０１０    入出力部
１０１１    ボタン
１０１２    マイク
１０１３    スピーカ
１０１４    振動モータ
１０１５    コネクタ
１０１６    キーパッド
１０１７    タッチスクリーン・コントローラ
１０１８    タッチスクリーン
１０１９    電源供給部
１０５０，１９００    制御部
１０６０    メモリ
１０６１    移動通信モジュール
１０６２    ＷｉＦｉモジュール
１０６３    ブルートゥース・モジュール
１０６４    ＤＭＢモジュール
１０６５    カメラ・モジュール
１０６６    センサ・モジュール
１０６７    ＧＰＳモジュール
１０６８    動画再生モジュール
１０６９    オーディオ再生モジュール
１０７０    電源モジュール
１０７１    タッチスクリーン・モジュール
１０７２    ＵＩモジュール
１０７３    アプリケーション・モジュール
１１００    ディスプレイ部
１２００    カードイメージ配列部
１３００    ユーザ入力受信部
１４００    指紋認識部
１５００    ロック解除部
１６００    決済情報提供部
１７００    メモリ
１８００    送受信部
２０００    相手デバイス
３０００    決済サーバ
【図１】
2014044724.tif 000003
【図２】
2014044724.tif 000004
【図３】
2014044724.tif 000005
【図４】
2014044724.tif 000006
【図５】
2014044724.tif 000007
【図６】
2014044724.tif 000008
【図７】
2014044724.tif 000009
【図８】
2014044724.tif 000010
【図９】
2014044724.tif 000011
【図１０】
2014044724.tif 000012
【図１１】
2014044724.tif 000013
【図１２】
2014044724.tif 000014
【図１３】
2014044724.tif 000015
【図１４】
2014044724.tif 000016
【図１５】
2014044724.tif 000017